(57)【要約】【課題】商品の広告映像をその商品を展示販売する店舗で放映し、消費者の商品に対する購買意欲を十分に掻き立てることができる商品広告方法を提供する。【解決手段】サーバ３が管理してネットワーク２に送出した広告映像を受信し、この受信した広告映像を店舗４の商品の近傍に配置された表示手段５２に表示し、この表示される広告映像は、近傍の商品に連動したものである。【選択図】図１
2007279516.tif 000002
【特許請求の範囲】
【請求項１】
商品の広告映像をその商品を展示販売する店舗で放映して商品を広告する方法であって、
サーバが管理してネットワークに送出した広告映像を受信し、
この受信した広告映像を店舗の商品の近傍に配置された表示手段に表示し、
この表示される広告映像は、近傍の商品に連動したものである、商品広告方法。
【請求項２】
商品を展示販売する複数の店舗で放映する商品の広告映像を記憶する広告映像記憶手段と、
各店舗が広告映像を放映する時刻からなる時刻表を記憶する広告映像表示スケジュール記憶手段と、
この広告映像表示スケジュール記憶手段の時刻表に従って、ネットワークを介して各店舗に対応する広告映像を送出する広告映像送出手段とを備えた広告映像管理サーバにおいて、
前記広告映像が、広告映像を放映する店舗における商品と連動していることを特徴とするものである、広告映像管理サーバ。
【請求項３】
商品を展示販売する店舗に設けられた広告映像表示装置であって、
商品の近傍に配置された表示手段と、
この表示手段に広告映像を表示させる広告映像再生手段とを備え、
この表示される広告映像は、近傍の商品に連動したものである、広告映像表示装置。
【請求項４】
商品を展示販売する店舗に設けられた広告映像表示装置であって、
サーバから広告映像を受信する広告映像受信手段と、
商品の近傍に配置された表示手段と、
この表示手段に受信した広告映像を表示させる広告映像再生手段とを備え、
この表示される広告映像は、近傍の商品に連動したものである、広告映像表示装置。
【請求項５】
請求項３または４において、前記広告映像受信手段および前記広告映像再生手段は箱体に収容されており、前記箱体は前記表示手段の背面側の上部に取り付けられている、広告映像表示装置。
【請求項６】
請求項３から５のいずれかにおいて、前記表示手段は枠部を有し、この枠部は広告映像を表示する表示部を囲んでおり、
前記枠部には店舗独自の標示が取り付けられている、広告映像表示装置。
【請求項７】
請求項３または４において、前記表示手段は枠部を有し、この枠部は人間の手の形状であって、その手の指によって物を指し示す形状からなり、この枠部が近傍の商品を指示した状態で設置されている、広告映像表示装置。
【請求項８】
商品を展示販売する店舗または広告する会場に設けられた広告映像表示装置であって、
サーバから広告映像を受信する広告映像受信手段と、
表示手段と、
この表示手段に受信した広告映像を表示させる広告映像再生手段と、
表示手段の表示画面に沿って配置される板体であって、表示手段に表示される広告映像を通す窓が設けられ、前記表示画面に面した主面とは反対側の主面に商品の形象が付された板体とを備え、
前記板体は交換可能である、広告映像表示装置。
【請求項９】
商品を展示販売する店舗または広告する会場に設けられた広告映像表示装置であって、
サーバから広告映像を受信する広告映像受信手段と、
表示手段と、
この表示手段に受信した広告映像を表示させる広告映像再生手段と、
表示手段の表示画面に沿って配置される板体であって、表示手段に表示される広告映像を通す窓が設けられ、商品または商品に関連する物を模した板体とを備える、広告映像表示装置。
【請求項１０】
請求項４から９のいずれか一項において、前記広告映像再生手段は、無線ＬＡＮを介して広告映像受信手段から広告映像を受け取るものである、広告映像表示装置。
【請求項１１】
請求項１０において、前記表示手段と前記広告映像再生手段の対が１つの店舗に複数存在する、広告映像表示装置。
【請求項１２】
商品の広告映像をその商品を展示販売する複数の店舗で放映して商品を広告するシステムであって、
広告映像を管理して、各店舗にネットワークを介してその店舗に応じた広告映像を送出するサーバと、
請求項４から１２のいずれか一項に記載の広告映像表示装置とを備えた、商品広告システム。
【請求項１３】
請求項１２において、前記表示手段の起動および停止は前記サーバからの信号によって自動的に行われる、商品広告システム。
【発明の詳細な説明】
【技術分野】
【０００１】
本発明は、商品の広告映像をその商品を展示販売する店舗で放映して商品を広告する方法に関する。
【背景技術】
【０００２】
商品の広告を映像で流すと単なる文字や絵に比べてインパクトが大きいので、消費者への訴求効果が高められる。特に、商品陳列棚に取り付けられたディスプレイで広告映像が放映されれば、この広告映像を見て購買意欲を掻き立てられた消費者がすぐに商品に手を伸ばす可能性が高いことより、広告映像を放映するディスプレイを商品陳列棚に取り付けているものがある（特許文献１参照）。
【特許文献１】特開平７−１３４５５５号公報
【０００３】
また、ネットワークを介して広告映像を配信すれば、フレキシブルに広告内容を変更することができので、コンビニエンスストアなどに設置されたディスプレイで広告映像を放映するものもある（特許文献２参照）。
【特許文献２】特開２００５−１４８６９８号公報
【発明の開示】
【発明が解決しようとする課題】
【０００４】
しかし、商品の商品陳列棚に取り付けたディスプレイで広告映像を放映しても、商品と広告映像の内容が連動していなければ、消費者の購買意欲を十分に掻き立てることができない。また、ネットワークを介してフレキシブルに変更される広告映像を店舗で放映しても、同様に、商品と広告映像の内容が連動していなければ、消費者の購買意欲を十分に掻き立てることができない。
【０００５】
そこで、本発明は、消費者の商品に対する購買意欲を十分に掻き立てることができる商品広告方法、広告映像管理サーバ、広告映像表示装置、および商品広告システムを提供することを目的とする。
【課題を解決するための手段】
【０００６】
上記目的を達成するために、本発明に係る商品広告方法は、商品の広告映像をその商品を展示販売する店舗で放映して商品を広告する方法であって、サーバが管理してネットワークに送出した広告映像を受信し、この受信した広告映像を店舗の商品の近傍に配置された表示手段に表示し、この表示される広告映像は、近傍の商品に連動したものである。
【０００７】
ここで、「広告映像」とは、商品を広告するための映像であって、好ましくは動画像と音声のセットからなる。ただし、静止画像のみ、静止画像と音声のセットなどからなるものであってもよい。
また、「商品の近傍」とは、消費者が商品陳列棚の前に立った時に商品を広告映像が同時に視野に入るような近さをいい、例えば、商品陳列棚上部や側方である。
さらに、「広告映像が商品に連動している」とは、広告映像と商品とが一体となっていること、つまり映像が表示される表示画面とその外部の商品との間にほとんどずれを感じさせないような状態をいう。具体的には、広告映像の中で司会者が商品について説明して広告している様子が、実際に販売員がその近傍の商品について説明して広告しているのと同様の印象を与えるような場合をいう。例えば、広告映像の中で商品を説明する人が「この商品」と言いながら下方を指し、実際、店舗では、広告映像が放映される表示画面の下方に商品が陳列されているような場合である。さらに、陳列された商品と同一の商品が、その陳列された方向から広告映像に出現するような場合は、陳列された商品があたかも広告映像の中に引き込まれたような印象を与えるので、広告映像が商品に連動している例に該当する。
【０００８】
本発明に係る商品広告方法によれば、商品の近傍に配置された表示手段に表示される広告映像が近傍の商品に連動しているので、消費者への訴求効果が高まる。例えば、食品の広告映像であれば、近傍に配置された本物の食品をあたかも取っているようなしぐさをしてその食品をおいしそうに食べている映像が放映されれば、臨場感が増して消費者の購買意欲を十分に掻き立てられることができる。
【０００９】
本発明に係る広告映像管理サーバは、商品を展示販売する複数の店舗で放映する商品の広告映像を記憶する広告映像記憶手段と、各店舗が広告映像を放映する時刻からなる時刻表を記憶する広告映像表示スケジュール記憶手段と、この広告映像配信スケジュール記憶手段の時刻表に従って、ネットワークを介して各店舗に対応する広告映像を送出する広告映像送出手段とを備え、前記広告映像が、広告映像を放映する店舗における商品と連動していることを特徴とするものである。
【００１０】
本発明に係る広告映像管理サーバによれば、広告映像管理サーバが、各店舗で広告映像を放映する時刻を記憶し管理しているので、全ての店舗においていかなる広告映像を放映するかを一元的に管理できる。また、ネットワークを介して広告映像を配信するので、各店舗に広告映像を記憶したＤＶＤのような媒体を配布する場合に比べて、広告映像の変更が容易である。したがって、店舗の状況に合わせてフレキシブルに広告映像を変えて放映することができる。また、サーバ側で広告映像の切り替えが行われるため、店舗では広告映像を変更する手間がかからない。
【００１１】
本発明の第１構成に係る広告映像表示装置は、商品を展示販売する店舗に設けられた広告映像表示装置であって、商品の近傍に配置された表示手段と、この表示手段に広告映像を表示させる広告映像再生手段とを備え、この表示される広告映像は、近傍の商品に連動したものである。
【００１２】
この第１構成の広告映像表示装置によれば、商品の近傍に配置された表示手段に表示される広告映像が近傍の商品に連動しているので、消費者への訴求効果が高まる。
【００１３】
本発明の第２構成に係る広告映像表示装置は、商品を展示販売する店舗に設けられた広告映像表示装置であって、サーバから広告映像を受信する広告映像受信手段と、商品の近傍に配置された表示手段と、この表示手段に受信した広告映像を表示させる広告映像再生手段とを備え、この表示される広告映像は、近傍の商品に連動したものである。
【００１４】
この第２構成の広告映像表示装置によれば、商品の近傍に配置された表示手段に表示される広告映像が近傍の商品に連動しているので、消費者への訴求効果が高まる。さらに、サーバから広告映像を受信するので、タイムリーな広告映像を放映することができる。
【００１５】
本発明に係る広告映像表示装置の好ましい実施形態では、前記広告映像受信手段および前記広告映像再生手段は箱体に収容されており、前記箱体は前記表示手段の背面側の上部に取り付けられている。この構成によれば、店舗に設置される広告映像表示装置が表示手段とその上部に取り付けられた箱体からなるので、広告映像表示装置はあまりスペースを取らない。したがって、コンビニエンスストアのような狭い店舗では、特に有効である。
【００１６】
好ましくは、前記表示手段は枠部を有し、この枠部は広告映像を表示する表示部を囲んでおり、前記枠部には店舗独自の標示が取り付けられている。この構成によれば、枠部に店舗独自の標示が取り付けられているので、店舗固有の広告をこの標示に集約すれば、広告映像の方は商品固有の広告に絞ることができる。
【００１７】
本発明に係る広告映像表示装置の別の好ましい実施形態では、前記表示手段は枠部を有し、この枠部は人間の手の形状であって、その手の指によって物を指し示す形状からなり、この枠部が近傍の商品を指示した状態で設置されている。この構成によれば、表示手段の枠部が近傍の商品を指示した状態で設置されているので、広告対象である商品に消費者の注目を集めることができる。
【００１８】
本発明の第３構成に係る広告映像表示装置は、商品を展示販売する店舗または広告する会場に設けられた広告映像表示装置であって、サーバから広告映像を受信する広告映像受信手段と、表示手段と、この表示手段に受信した広告映像を表示させる広告映像再生手段と、表示手段の表示画面に沿って配置される板体であって、表示手段に表示される広告映像を通す窓が設けられ、前記表示画面に面した主面とは反対側の主面に商品の形象が付された板体とを備え、前記板体は交換可能である。
【００１９】
ここで、「商品の形象」とは、商品に描いた図や商品を撮影した写真などが該当する。
【００２０】
この第３構成の広告映像表示装置によれば、板体が表示手段の表示画面に沿って配置され、表示画面に面した主面とは反対側の主面に商品の形象が付されているので、板体の窓を通して広告映像を見る者には、広告映像と共に商品の形象も目に入ることになる。したがって、消費者には強いインパクトを与えることができる。また、板体は交換可能であることより、放映される広告映像に応じた商品の形象を有する板体が選択されれば、適切な広告を行うことができる。さらに、商品が広告映像表示装置の近傍になくても板体に付された商品の形象がその代わりの役目を果たすので、商品棚が設置されているような店舗に限らず、商品が近傍にないイベント会場のような商品を広告する会場などにおいても効果的である。さらに、この板体に付された形象と広告映像が連動すれば、より訴求効果が高くなる。
【００２１】
本発明の第４構成に係る広告映像表示装置は、商品を展示販売する店舗または広告する会場に設けられた広告映像表示装置であって、サーバから広告映像を受信する広告映像受信手段と、表示手段と、この表示手段に受信した広告映像を表示させる広告映像再生手段と、表示手段の表示画面に沿って配置される板体であって、表示手段に表示される広告映像を通す窓が設けられ、商品または商品に関連する物を模した板体とを備える。
【００２２】
ここで、「商品に関連する物の形状」とは、商品自体ではないが、商品と一体的に取り扱われる物のことをいい、例えば商品が食堂でサービスされるうどんの場合、そのうどんを入れる器が該当する。
【００２３】
この第４構成の広告映像表示装置によれば、広告映像を通す窓が設けられた板体が商品または商品に関連する物を模しているので、この形状によって消費者の注目を集めることができる。また、板体の窓を通して広告映像を見る者には、広告映像と共に商品を模した板体自体も目に入るので、消費者には強いインパクトを与えることができる。
【００２４】
本発明に係る広告映像表示装置のさらに別の好ましい実施形態では、無線ＬＡＮを介して広告映像受信手段から広告映像を受け取るものである。この構成によれば、スペースを確保しにくい商品陳列棚には広告映像再生手段と表示手段のみを配置して、これらから離れてスペースに余裕のある場所に広告映像受信手段を設置することができる。したがって、コンビニエンスストアのような狭い店舗においても本広告映像表示装置を十分に設置することができる。
【００２５】
好ましくは、前記表示手段と前記広告映像再生手段の対が１つの店舗に複数存在する。この構成によれば、１つの店舗に表示手段と広告映像再生手段の対が複数配置されているので、例えば１つのメーカの複数種類の商品についての広告映像を各商品陳列棚付近において放映することができる。したがって、各商品に関する広告映像を広告対象のそれぞれの商品近傍で流すことができるので、高い訴求効果を維持できる。
【００２６】
本発明に係る商品広告システムは、商品の広告映像をその商品を展示販売する複数の店舗で放映して商品を広告するシステムであって、広告映像を管理して、各店舗にネットワークを介してその店舗に応じた広告映像を送出するサーバと、本発明に係る広告映像表示装置とを備える。
【００２７】
本発明に係る商品広告システムによれば、商品の近傍に配置された表示手段に表示される広告映像が近傍の商品に連動しているので、消費者への訴求効果が高まる。また、サーバから各店舗に広告映像を送出つまり配信するので、各店舗で流される広告映像を一元的に管理することが可能である。
【００２８】
本発明に係る商品広告システムの好ましい実施形態では、前記表示手段の起動および停止は前記サーバからの信号によって自動的に行われる。この構成によれば、広告映像表示装置を店舗の店員が起動させたり停止させたりする必要がなく、さらに、店舗の店員がその他の操作も全く行う必要がないので、店舗の店員の手間を取ることはなく店舗に広告映像表示装置を設置することができる。
【発明の効果】
【００２９】
本発明に係る商品広告方法によれば、広告映像が近傍の商品に連動することで、あたかも販売員が商品を販売しているようなリアルな雰囲気が作られるので、店舗を訪れる消費者の購買意欲を十分に掻き立てることができる。
【発明を実施するための最良の形態】
【００３０】
本発明の実施形態を図面に基づいて説明する。
図１に、本発明の第１実施形態にかかる商品広告システム１を示す。この商品広告システム１は、以下に詳細に説明するように、動画からなる商品の広告映像をその商品を複数の店舗で放映して商品を広告するシステムである。店舗には、コンビニエンスストアのように、商品展示に十分な場所を確保するのが困難な店舗が含まれる。また、広告対象の商品は、単一の商品のみでもよいが、例えば特定のメーカの複数の商品であってもよい。さらに、動画の広告映像は、音声を伴っている。
【００３１】
商品広告システム１はインターネット２を備え、インターネット２には、広告映像管理サーバ３と、商品を展示販売する複数の店舗４にそれぞれ設けられた広告映像表示装置５が接続されている。
【００３２】
広告映像管理サーバ３は、店舗４で放映する商品の広告映像を記憶する広告映像記憶手段３１と、各店舗４が広告映像を放映する時刻からなる時刻表を記憶する広告映像表示スケジュール記憶手段３２と、この広告映像表示スケジュール記憶手段３２の時刻表に従って、インターネット２を介して各店舗４に、対応する広告映像を送出する広告映像送出手段３３とを備える。ここで、広告映像は、後述するように広告映像を放映する店舗４における商品と連動している。なお、サーバ３では、例えば動画像からなる広告映像をＭＰＥＧ２形式に変換して、広告映像記憶手段３１に記憶しておく。広告映像送出手段３３は、例えばＭＰＥＧ２形式のデータをＴＣＰ／ＩＰプロトコルに従って、インターネットに送出する。
【００３３】
広告映像表示スケジュール記憶手段３２に記憶される時刻表は、図２に示すように、各店舗４Ａ，４Ｂ…における広告映像を流す時刻からなる。例えば、店舗４Ａの場合、斜線で示す停止状態の後、時刻9:00に表示手段５２（図１）が起動される。なお、この起動は後述するように、サーバ３（図１）から信号を送信することによって自動的に行うことができる。次に、店舗４Ａでは、時刻9:00〜12:00の間は広告映像ａ１が放映され、時刻12:00〜18:00の間は広告映像ａ２が放映され、時刻17:00〜21:00の間は広告映像ａ３が放映されて、その後広告映像表示装置が停止される。この停止も、サーバ３（図１）から信号を送信することによって自動的に行うことができる。
【００３４】
これに対して、店舗４Ａとは別の店舗４Ｂでは、時刻6:00に広告映像表示装置が起動され、時刻6:00〜12:00の間は広告映像ａ４が放映され、時刻12:00〜18:00の間は広告映像ａ５が放映されて、その後広告映像表示装置が停止される。
【００３５】
その他の店舗についても、同様に、広告映像表示装置の起動および停止時刻と、放映される広告映像の種類が時間軸に対して記憶されている。なお、この広告映像ａ１，ａ２，ａ３，ａ４，ａ５，…は多数用意されており、全ての映像が広告映像記憶手段３１（図１）に記憶されている。このように多数の広告映像が用意されているのは、広告映像を近傍の商品と連動させるように、各店舗４Ａ，４Ｂ，…における商品の陳列状況に応じて広告映像を異なるものとするためである。また、１つの店舗においても、朝、昼、午後などの時刻によって、来店する客層や売れ行きの良い商品が変化するので、広告対象の商品や広告映像の内容を変えることで消費者への訴求効果が高くて効率的な広告をできるからである。このように、各店舗が広告映像を放映する時刻からなる時刻表を有することで、きめ細かく広告映像を変えて、より効率的な広告を行うことができる。
【００３６】
図１に戻って、広告映像表示装置５は、サーバ３から広告映像を受信する広告映像受信手段５１と、商品の近傍に配置された表示手段５２と、この表示手段５２に受信した広告映像を表示させる広告映像再生手段５３とを備える。なお、広告映像表示装置５は、インターネット２からデータを受信してそのデータを映像に変換して再生できるものであればいかなるものでもよい。したがって、例えばセットトップボックスとテレビモニタからなるものや、パーソナルコンピュータからなるものなどが該当する。広告映像表示装置５がセットトップボックスとテレビモニタからなる場合は、セットトップボックスが広告映像受信手段５１および広告映像再生手段５３の役割を果たし、テレビモニタが表示手段５２の役割を果たす。一方、広告映像表示装置５がパーソナルコンピュータからなる場合は、パーソナルコンピュータ内蔵のハードウェアおよびソフトウェアや付属の装置が広告映像受信手段５１および広告映像再生手段５３の役割を果たし、パーソナルコンピュータのディスプレイが表示手段５２の役割を果たす。なお、いずれの場合でも、ＴＣＰ／ＩＰプロトコルに従って、インターネットからデータを受信する。また、受信したデータがＭＰＥＧ２形式であれば、広告映像再生手段５３が動画像に変換しなおす。
【００３７】
次に、図３（ａ）および（ｂ）に広告映像表示装置５の店舗における設置形態を示す。ここで、広告映像表示装置５はテレビモニタ５５とセットトップボックス５６からなるものとする。ここで、テレビモニタ５５は、コンビニエンスストアのような店舗において特定の商品Ｍが多数陳列された商品陳列棚７の最上段の上面７０に設置されている。テレビモニタ５５は、また、枠部５５ａを有し、この枠部は広告映像を表示する表示部５５ｂを囲んでいる。これに対して、セットトップボックス５６は長方形状からなる箱体からなり、テレビモニタ５５の背面側５５ｃの上部に設けられている。具体的には、セットトップボックス５６に固着されている鉤形状の取付具５７が、テレビモニタ５５の枠部５５ａに引っ掛けられている。また、この取付具５７からは可撓性を有する帯体５８が上方に延出し、その先端部５８ａが矢印形状からなる。上方に延出した帯体５８はテレビモニタ５５の前方に向かって湾曲し、帯体５８が可撓性を有するので、先端部５８ａは表示部５５ｂの表示画面に対してほぼ平行に下方に延びている。したがって、テレビモニタ５５を前方から眺める人にとっては、矢印が表示画面内の特定の箇所を指しているように見える。
【００３８】
このように、セットトップボックス５６がテレビモニタ５５に一体的に取り付けられているので、セットトップボックス５６とテレビモニタ５５をそれぞれ商品陳列棚に設置した場合に比べて商品陳列棚の占有スペースは小さくなる。したがって、店舗が小さいコンビニエンスストアのような場合でも、本広告映像表示装置を十分に設置することができる。
【００３９】
さらに、図４に示すように、テレビモニタ５５には、表示パネル５９を設けることができる。表示パネル５９は、例えば、枠部５５ａの上側右角部５５ｅおよび下側左角部５５ｆに設けられる。この表示パネル５９は、互いに直角をなす３つの面５９ａ，５９ｂ，５９ｃからなり、第１の面５９ａには、文字や絵などが描かれている。表示パネル５９は、この第１の面５９ａがテレビモニタ５５の表示部５５ｂに位置するように、３つの面５９ａ，５９ｂ，５９ｃによって形成された頂部５９ｄがテレビモニタ５５の枠部５５ａの角に合わせられている。この表示パネル５９の第１の面５９ａには、例えば、「￥19,800」というような販売価格や、「いち押し商品！」というような店舗からのメッセージが描かれている。これらは、店舗独自の情報であり、ＰＯＰ（point of purchase）広告に該当する。これより、広告映像にはメーカからのメッセージが示されるのに対して、表示パネル５９には店舗からのメッセージを示すことができる。このように店舗からのメッセージがメーカからのメッセージから切り離されて店舗独自の広告を設定できるので、例えば「\19,800」いう販売価格を変更するように、来客の状況に応じて店舗側でこのメッセージを変えることができる。
【００４０】
次に、図１に戻って、本実施形態にかかる商品広告システム１の動作について説明する。
まず、広告映像管理サーバ３の広告映像記憶手段３１には、予め特定の商品について、動画からなる多数の広告映像が記憶されている。これに対して、各店舗４の商品陳列棚には、それぞれの店舗の広さや商品数など店舗の環境に従って、その特定商品が陳列されている。このように、各店舗におけるその陳列状況が異なるので、図２に示すように、広告映像管理サーバ３の広告映像表示スケジュール記憶手段３２には、各店舗４の状況に合致した広告映像が選別され設定されている。また、起動時刻は、例えば、各店舗の開店時刻や人の出入りが多くなる時刻に合わせてある。逆に停止時刻は、例えば、各店舗の閉店時刻や人の出入りが少なくなる時刻に合わせてある。
【００４１】
この状態で、まず、図１の例えばある店舗４Ａの広告映像表示装置５が起動時刻9:00を向かえたとすると、広告映像管理サーバ３の広告映像送出手段３３が店舗４Ａの広告映像表示装置５にインターネット２を介して起動信号を送出する。これにより、広告映像表示装置５の表示手段５２が起動される。具体的には、例えば表示手段５２であるテレビモニタは停止されている状態で、広告映像受信手段５１および広告映像再生手段５３であるセットトップボックスが常時作動してデータ受信ができる状態において起動信号を受信すると、表示手段５２が起動される。広告映像管理サーバ３は、さらに、広告映像表示スケジュール記憶手段３２に記憶された時刻表に従って、店舗４Ａの広告映像表示装置５に広告映像ａ１（図２）をインターネット２を介してストリーミング配信により送出する。なお、配信方法はストリーミング配信に限らず、ダウンロードによる配信であってもよい。
【００４２】
これに対して、広告映像表示装置５では、広告映像受信手段５１がインターネットを介して広告映像を受信すると、ストリーミング配信によって順次受信するデータを動画像に変換して広告映像再生手段５３が表示手段５２の表示画面５５ｂ（図３）に表示していく。
【００４３】
この広告映像は、図５（ａ）に示すように、商品Ｍがテレビモニタ５５の下方に陳列された店舗４Ａ（図１）では、この店舗４Ａに割り当てられた広告映像ａ１（図２）において商品を宣伝する司会者が下方を指差して「この商品を買ってください」と訴えたりするもので、陳列された商品に連動している。
【００４４】
これに対して、図５（ｂ）に示すように、別の店舗４Ｂ（図１）においては、この店舗４Ｂに割り当てられた別の広告映像ａ４（図２）がサーバ３から送出される。この広告映像ａ４はこの店舗４Ｂ（図１）の商品Ｍの陳列状況に対応したものである。この店舗４Ｂ（図１）では，商品Ｍがテレビモニタ５５の側方に陳列されているので、広告映像において商品を宣伝する司会者が側方を指差している。
【００４５】
次に、これら図５（ａ）および（ｂ）とは別の広告映像の放映例を図６（ａ）〜（ｄ）に示す。ここで、広告対象の商品は、例えば缶入り飲料とする。
テレビモニタ５５の近傍に商品Ｍが陳列されている状態で放映される広告映像では、まず、図６（ａ）に示すように、商品を宣伝する者Ｐが商品Ｍに向かって手Ｈを伸ばして、あたかもその陳列された商品Ｍを手Ｈに取るかのような動作を示す。
【００４６】
次に、図６（ｂ）に示すように、この伸ばした手Ｈは映像から消えて、（ｃ）に示すように再度映像に出現した際には、この手Ｈが陳列された商品Ｍと同一の商品を握っている。そして、図６（ｄ）に示すように宣伝者Ｐは手Ｈに握った缶入り飲料を口に持っていき、それを飲む動作を示す。なお、このように缶入り飲料を飲む動作は、従来のテレビコマーシャルなどと同様に、宣伝者Ｐはとてもおいしそうな表情を見せながら行っている。その後、宣伝者Ｐはこの商品Ｍの価格や特徴などを含む訴求点を伝える。
【００４７】
このように、テレビモニタ５５の近傍の商品Ｍが、宣伝者Ｐの手Ｈを媒体として商品Ｍの方向から広告映像に出現すると、陳列された商品Ｍがあたかも広告映像の中に引き込まれたような印象を与えるので、広告映像が商品に連動し、消費者への訴求効果が高まる。
【００４８】
次に、図３（ａ）および（ｂ）のテレビモニタ５５の第１の変形例を図７を用いて説明する。この例では、テレビモニタ５５の枠部５５ａが物を指示する形状を有し、例えば、人間の手の形状であって、人差し指が物を指し示す形となっている。このテレビモニタ５５は、柔軟性を有する支持アーム８０によって支えられており、アーム８０は商品陳列棚７の上部に、商品Ｍの並べられている方向と平行に延びたレール８１に摺動可能に取り付けられている。これより、このテレビモニタ５５は商品Ｍが並べられている方向である横方向に移動が可能である。また、支持アーム８０が柔軟性を有するので、このテレビモニタ５５によって、商品を指し示すことができる。また、その形状より、強いインパクトを消費者に与えることができる。
【００４９】
さらに、図３（ａ）および（ｂ）のテレビモニタ５５の第２の変形例を図８を用いて説明する。この例では、テレビモニタ５５は、表示部５５ｂを含み、商品Ｍと類似の形態を有する本体部８２と、この本体部８２の左端および右端からそれぞれ突出している柔軟性を有するアーム８３，８３と、これらアーム８３，８３の本体部８２とは反対の先端にそれぞれ取り付けられた指示体８４，８４とを有する。この指示体８４は、例えば人間の手の形状であって、人差し指が物を指し示す形からなる。このテレビモニタ５５も商品陳列棚７の上部に位置する、商品Ｍの並べられている方向と平行に延びたレール８１に摺動可能に取り付けられている。２つのアーム８３，８３が柔軟性を有するので、指示体８４が商品を指し示すことができる。
【００５０】
次に、図９（ａ）から（ｃ）に本発明の第２実施形態にかかる商品広告システムについて説明する。本実施形態が第１実施形態と異なる点は、図９（ａ）に示すように広告映像表示装置５がさらに板体６０を備える点である。ここで、広告映像表示装置５は図９（ｂ）の上面図で示すようにテレビモニタ５５とセットトップボックス５６からなるものとして説明する。
【００５１】
まず、板体６０は、テレビモニタ５５の表示画面５５ａに沿って配置されている。具体的には、テレビモニタ５５の枠の前面に、表示画面５５ａを覗く窓６１ｃを有する支持体６１が固着されている。この支持体６１は図９（ｂ）に示すように、平板部６１ａと、その両側縁に形成された鉤形状の溝部６１ｂ，６１ｂとを有し、この２つの溝部６１ｂ、６１ｂに嵌合して板体６０が固定されている。なお、この板体６０の固定は、溝部６１ｂ，６１ｂが板体６０を押圧することによるものでもよく、または支持体６１の下端に形成された図示しない溝が板体６０を収容するものであってもよい。このように、板体６０は支持体６１によってテレビモニタ５５の表示画面５５ａと平行に設置される。
【００５２】
板体６０には、また、支持体６１の窓６１ｃに合致する窓６２が設けられ、これらの窓によってテレビモニタ５５に表示される広告映像が通ることになる。これらの窓の形状および大きさは、テレビモニタ５５の表示画面５５ａとほぼ合致して同一である。さらに、テレビモニタの表示画面５５ａに面した板体６０の主面とは反対側の主面６３には、広告対象である商品の形象６４が付されている。この商品の形象は商品の図や写真であるが、臨場感を増すためには特に写真が好ましい。また、付属する情報が商品の写真に伴っていてもよい。例えば、商品が野菜の場合にその野菜の生産者の写真６５ａが野菜の写真６４とともに付されて、野菜についての説明６５ｂが提示されていれば、商品の普及に効果的である。また、この図や写真からなる商品の形象６４は主面６３のいずれの位置に付されたものでもよく、好ましくは窓６２の周囲に付されている。
【００５３】
次に、板体６０の設置方法について説明する。
まず、付された商品の形象６４がそれぞれ異なる複数の板体６０のうち、テレビモニタ５５から放映される広告映像に応じて、その広告映像と関係のある商品の形象６４が付された板体６０が選択される。次に、図９（ｃ）に示すように、この選択された板体６０は、支持体６１の両側縁に形成された溝部６１ｂに嵌め込まれ、板体６０の窓６２が支持体６１の窓およびテレビモニタ５５の表示画面５５ａとほぼ一致する位置まで案内される。
【００５４】
このように、板体６０には商品の形象６４が付されているので、窓６２を通してテレビモニタの表示画面５５ａから広告映像を見る者は、広告映像と共に商品の図や写真も目に入り、強いインパクトを受けることになる。なお、本実施形態では、板体６０に付された商品の図や写真からなる商品の形象が陳列された商品と同等の訴求効果を達成するので、商品は必ずしもテレビモニタ５５の近傍に置かれていなくてもよい。したがって、本実施形態にかかる広告映像表示装置は、商品を展示販売する店舗に限らず、販売促進イベントの会場や商品の展示場などに設置されてもよい。
【００５５】
広告映像がサーバ３（図１）によって切り換えられる場合は、板体６０は支持体６１に固定されたのと逆の手順で取り外される。次に、切り換えられる広告映像に対応した商品の形象が付された板体６０が選択されて支持体６１に固定される。このように板体６０が交換可能であるため、適切な広告を行うことができる。
【００５６】
なお、板体６０の支持のために支持体６１を設けずに、テレビモニタ５５に板体６０をねじの締着によって取り付けてもよい。
【００５７】
次に、図１０および図１１に本発明の第３実施形態にかかる商品広告システムについて説明する。本実施形態が第２実施形態と異なる点は、板体６０には商品の形象が付されておらず、代わりに、板体６０が商品または商品に関連する物を模している点である。
【００５８】
例えば、図１０に示すように、広告対象の商品が電子レンジの場合には、板体６０が電子レンジを模しており、板体６０の窓６２が電子レンジの扉に見立てられている。この窓６２は、第２実施形態と同様に、テレビモニタ５５の表示画面５５ａと合致している。したがって、消費者は板体６０の珍しい形態に興味をそそられて注目し、窓６２を通して広告映像を見ることになる。なお、この板体６０のテレビモニタ５５への取り付けは、例えばねじの締着による。
【００５９】
また、図１１に示すように、商品が食堂でサービスされるうどんの場合には、板体６０がそのうどんを入れる器を模していてもよい。
【００６０】
次に、図１２に、本発明の第４実施形態にかかる商品広告システムについて説明する。本実施形態が第１実施形態と異なる点は、広告映像表示装置５Ａの広告映像再生手段５３が、無線ＬＡＮを介して広告映像受信手段５１から広告映像を受け取る点である。すなわち、広告映像受信手段５１を有する受信部５０１と、広告映像再生手段５３および表示手段５２を有する再生表示部５２３とは接続ケーブルなどに拘束されずに設置できる。したがって、例えば、インターネットに接続され、パーソナルコンピュータからなる受信部５０１が、店舗４内の所定の場所に設置されるのに対して、商品棚近傍に設置される必要のある例えばテレビモニタおよびセットトップボックスからなる再生表示部５２３が、商品に合わせて流動的に設置される。これより、商品の陳列状況が頻繁に変わったとしても、それに柔軟に対応でき、消費者への高い訴求効果を維持できる。
【００６１】
次に、図１３に、本発明の第３実施形態にかかる商品広告システムについて説明する。本実施形態が第２実施形態と異なる点は、広告映像表示装置５Ｂの再生表示部５２が、店舗４内に複数存在する点である。この場合、各再生表示部５２３が無線ＬＡＮを介して広告映像受信手段５１から広告映像を受け取る。サーバの広告映像表示スケジュール記憶手段３２（図１）では、再生表示部５２３ごとに、広告映像を流す時刻からなる時刻表を記憶している。したがって、あるメーカが店舗に広告対象の商品を複数有する場合、各商品陳列棚に再生表示部５２３を配置しておけば、それぞれの商品に関する広告映像がそれぞれの場所で流れることになる。
【００６２】
以上のとおり本発明によれば、ネットワークを介して、店舗に応じた広告映像を配信するので、柔軟かつ素早く広告映像を変更設定できる。また、放映される広告映像が近傍の商品に連動しているので、漫然と流されている広告映像とは異なり、あたかも販売員が店舗に立って販売促進しているような印象を与える。したがって、消費者への訴求効果は高まり、消費者の購買意欲を掻き立てる可能性が高くなる。
【００６３】
さらに、図１４に本発明の商品広告システムの別の実施形態を示す。この実施形態では、商品広告システムは、店舗４における広告映像表示装置５Ｃがフラッシュメモリからなる広告映像記憶手段５４を有する。したがって、広告映像再生手段５３は、広告映像記憶手段５４から例えばＭＰＥＧ２形式の動画像のデータを読み出して、動画像に変換して、表示手段５２に表示させる。このようにフラッシュメモリを記憶媒体として用いれば、耐久性が向上する。
【００６４】
本実施形態における広告映像表示装置５Ｃは、フラッシュメモリ５４を備えているので、ネットワーク２（図１）に接続されていなくても動作することができる。しかしながら、もちろん、ネットワーク２（図１）に接続されて用いられてもよい。例えばネットワークに接続されている場合、ダウンロードした広告映像を一旦フラッシュメモリ５４に保存しておく。これにより、ダウンロード後にネットワークへの接続が切断しても広告映像を再生することが可能となる。別の使用法としては、ネットワークの回線が混雑しない夜間に広告映像をダウンロードしてフラッシュメモリ５４に保存しておき、昼間に広告映像を再生する際には、このフラッシュメモリ５４からデータを読み出す。
【００６５】
さらに、好ましくは、フラッシュメモリ５４は交換可能である。したがって、広告映像管理サーバ３（図１）が広告映像表示スケジュール記憶手段３２（図１）に記憶されたスケジュールに従って広告映像を配信する代わりに、フラッシュメモリ５４を交換することで、広告映像を切り替えることができる。また、多数の店舗４に同一の広告映像を配信した場合に、店舗４によっては、このようにフラッシュメモリ５４を交換することで、一斉に配信されてくる広告映像ではなく、店舗独自の広告映像を放映することができる。このように、フラッシュメモリ５４を交換できるので、放映する広告映像を各店舗が柔軟に設定でき、適切な広告映像を放映することが可能である。
【００６６】
なお、本発明におけるネットワークはインターネットの場合を示したが、これに限定されるものではなく、イントラネットなどでもよい。
【図面の簡単な説明】
【００６７】
【図１】本発明の第１実施形態に係る商品広告システムのネットワーク構成図である。
【図２】図１の広告映像表示スケジュール記憶手段に記憶される時刻表の図である。
【図３】（ａ）は広告映像表示装置の設置形態を示す斜視図であり、（ｂ）はその側面図である。
【図４】表示パネルが取り付けられたテレビモニタの斜視図である。
【図５】（ａ）は図１の商品システムの動作を示す広告映像表示装置の前面図であり、（ｂ）はその別の動作を示す広告映像表示装置の前面図である。
【図６】（ａ）〜（ｄ）は、図１の商品システムの動作を示す広告映像装置の前面図であって、商品と広告映像との連動の例を示す図である。
【図７】図３のテレビモニタの第１の変形例を示す前面図である。
【図８】図３のテレビモニタの第２の変形例を示す前面図である。
【図９】本発明の第２実施形態に係る商品広告システムにおける広告映像表示装置の一部を示す図であり、（ａ）は正面図、（ｂ）は上面図、（ｃ）は斜視図である。
【図１０】本発明の第３実施形態に係る商品広告システムにおける広告映像表示装置の一部を示す正面図である。
【図１１】本発明の第３実施形態に係る商品広告システムにおける他の広告映像表示装置の一部を示す正面図である。
【図１２】本発明の第２実施形態に係る商品広告システムのネットワーク構成図である。
【図１３】本発明の第３実施形態に係る商品広告システムのネットワーク構成図である。
【図１４】本発明の商品広告システムの変形例を示す構成図である。
【符号の説明】
【００６８】
１  商品広告システム
３  広告映像管理サーバ
４  店舗
５  広告映像表示装置
【図１】
2007279516.tif 000003
【図２】
2007279516.tif 000004
【図３】
2007279516.tif 000005
【図４】
2007279516.tif 000006
【図５】
2007279516.tif 000007
【図６】
2007279516.tif 000008
【図７】
2007279516.tif 000009
【図８】
2007279516.tif 000010
【図９】
2007279516.tif 000011
【図１０】
2007279516.tif 000012
【図１１】
2007279516.tif 000013
【図１２】
2007279516.tif 000014
【図１３】
2007279516.tif 000015
【図１４】
2007279516.tif 000016